(57)【要約】【課題】ハンドル装置を安定して操作するとともに、ハンドル装置を折り畳んだときに、ハンドルの保持と保持の解除に用いられる部分を目立たなくする。【解決手段】ハンドル４０は、支持部材３０に支持されて、操作位置Ｐ１と折り畳み位置とに移動する。係合部材６０は、ハンドル４０に係合して、ハンドル４０を操作位置Ｐ１に保持する。解除部材７０により、係合部材６０のハンドル４０への係合が解除される。支持部材３０は、係合部材６０及び解除部材７０を収容する収容部３４を有する。ハンドル４０は、折り畳み位置において、収容部３４を係合部材６０及び解除部材７０とともに収容して覆う覆い部４４を有する。【選択図】  図４
2018147395.tif 000002
【特許請求の範囲】
【請求項１】
支持部材と、前記支持部材に支持されて操作位置と折り畳み位置とに移動するハンドルと、を備えたハンドル装置であって、
前記操作位置に配置された前記ハンドルに係合して、前記ハンドルを前記操作位置に保持する係合部材と、
前記係合部材の前記ハンドルへの係合を解除させる解除部材と、を備え、
前記支持部材は、前記係合部材及び前記解除部材を収容する収容部を有し、
前記ハンドルは、前記折り畳み位置において、前記収容部を前記係合部材及び前記解除部材とともに収容して覆う覆い部を有するハンドル装置。
【請求項２】
請求項１に記載されたハンドル装置において、
前記収容部は、前記解除部材が配置される開口部を有し、
前記覆い部は、前記解除部材を前記開口部とともに収容して覆うハンドル装置。
【請求項３】
請求項１又は２に記載されたハンドル装置において、
前記収容部は、前記支持部材の基部から張り出して、前記折り畳み位置の前記ハンドルに沿って配置されるハンドル装置。
【請求項４】
請求項１ないし３のいずれかに記載されたハンドル装置において、
前記係合部材を前記ハンドルに係合する係合位置に向かって付勢する付勢部材を備えたハンドル装置。
【請求項５】
請求項１ないし４のいずれかに記載されたハンドル装置において、
前記係合部材及び前記解除部材を貫通して、前記係合部材及び前記解除部材を前記支持部材に移動可能に連結する連結部材を備えたハンドル装置。
【請求項６】
請求項１ないし５のいずれかに記載されたハンドル装置において、
前記支持部材は、前記収容部に形成されて、前記解除部材をガイドするガイド部を有するハンドル装置。
【請求項７】
請求項１ないし６のいずれかに記載されたハンドル装置を備えた建具。
【発明の詳細な説明】
【技術分野】
【０００１】
本発明は、操作位置と折り畳み位置とに移動するハンドルを備えたハンドル装置と、ハンドル装置を備えた建具に関する。
【背景技術】
【０００２】
建物の開口部に設置される建具においては、折り畳み可能なハンドル装置により、障子の開閉を操作することがある。ハンドル装置のハンドルは、非使用時に折り畳み位置に配置され、操作時に操作位置に配置される。ところが、ハンドル装置の操作中には、ハンドルが不意に移動して、ハンドル装置の安定した操作が妨げられることがある。これに対し、従来、ストッパ片により、ハンドルアーム部（ハンドル）の回動を阻止する折り畳み式ハンドル（ハンドル装置）が知られている（特許文献１参照）。
【０００３】
特許文献１に記載された従来の折り畳み式ハンドルでは、ストッパ片により、ハンドルアーム部を操作位置と待避位置とに保持する。また、ハンドルアーム部の回動時には、操作部により、ストッパ片を移動させて、ハンドルアーム部の保持を解除する。しかしながら、従来の折り畳み式ハンドルでは、ハンドルアーム部を待避位置に保持した状態で、ストッパ片及び操作部が露出する。そのため、ハンドルを折り畳んだときに、ハンドルアーム部の保持と保持の解除に用いられる部分が目立ち、ハンドルの外観に影響が生じる虞がある。
【先行技術文献】
【特許文献】
【０００４】
【特許文献１】特許第４１８２２７５号公報
【発明の概要】
【発明が解決しようとする課題】
【０００５】
本発明は、前記従来の問題に鑑みなされたもので、その目的は、ハンドル装置を安定して操作できるようにするとともに、ハンドル装置を折り畳んだときに、ハンドルの保持と保持の解除に用いられる部分を目立たなくすることである。
【課題を解決するための手段】
【０００６】
本発明は、支持部材と、前記支持部材に支持されて操作位置と折り畳み位置とに移動するハンドルと、を備えたハンドル装置である。ハンドル装置は、前記操作位置に配置された前記ハンドルに係合して、前記ハンドルを前記操作位置に保持する係合部材と、前記係合部材の前記ハンドルへの係合を解除させる解除部材と、を備える。前記支持部材は、前記係合部材及び前記解除部材を収容する収容部を有する。前記ハンドルは、前記折り畳み位置において、前記収容部を前記係合部材及び前記解除部材とともに収容して覆う覆い部を有する。
また、本発明は、本発明のハンドル装置を備えた建具である。
【発明の効果】
【０００７】
本発明によれば、ハンドル装置を安定して操作できるとともに、ハンドル装置を折り畳んだときに、ハンドルの保持と保持の解除に用いられる部分を目立たなくすることができる。
【図面の簡単な説明】
【０００８】
【図１】本実施形態の建具を示す正面図である。
【図２】本実施形態のハンドル装置を示す斜視図である。
【図３】本実施形態のハンドル装置を示す断面図である。
【図４】本実施形態のハンドル装置を示す断面図である。
【図５】本実施形態の開閉機構とハンドル装置を示す斜視図である。
【図６】ハンドル装置の支持部材を示す平面図である。
【図７】ハンドル装置の支持部材を示す断面図である。
【図８】ハンドル装置の支持部材を示す斜視図である。
【図９】組み合わされた係合部材と解除部材を示す斜視図である。
【図１０】本実施形態のハンドル装置を示す断面図である。
【図１１】本実施形態のハンドル装置を示す断面図である。
【発明を実施するための形態】
【０００９】
本発明のハンドル装置と建具の一実施形態について、図面を参照して説明する。
以下では、縦すべり出し窓を例にとり、本実施形態のハンドル装置と建具について説明する。
【００１０】
図１は、本実施形態の建具１を示す正面図であり、室内側からみた建具１を模式的に示している。
図示のように、建具１は、建物の開口部に設置されて、建物の室内と室外の間に配置される。また、建具１は、開閉可能な障子２と、障子２を囲む枠体３と、障子２を施錠する施錠機構４と、障子２を開閉する開閉機構５と、開閉機構５を操作する折り畳み可能なハンドル装置６を備えている。障子２の開閉により、枠体３の開口部１０が開閉される。
【００１１】
障子２は、方形状の開閉体であり、框体２０と、框体２０内に配置されたパネル体２１を有する。障子２が閉じた状態で、施錠機構４により、障子２が施錠されて、障子２が枠体３に保持される。障子２を開くときに、施錠機構４による障子２の施錠が解除される。障子２の開閉時には、障子２がスライドしつつ回動する。これにより、障子２は、室外側と枠体３側とに移動して、開閉する。枠体３は、方形状の開口枠（窓枠）であり、建物の開口部を囲む縁部（開口縁部）に取り付けられる。
【００１２】
開閉機構５は、枠体３に取り付けられて、障子２に連結される。ハンドル装置６は、開閉機構５に連結されて、開閉機構５から突出する。ハンドル装置６により、開閉機構５を駆動して、障子２の開閉を操作する。開閉機構５は、ハンドル装置６から加えられる力（ここでは、回転の力）により駆動されて、障子２を開き方向と閉じ方向に移動させる。障子２は、ハンドル装置６により操作されて開閉する。
【００１３】
図２は、本実施形態のハンドル装置６を示す斜視図であり、図１の矢印Ｘ１方向からみたハンドル装置６を示している。図３、図４は、本実施形態のハンドル装置６を示す断面図であり、図２のＸ２−Ｘ２線で切断したハンドル装置６を示している。図２、図３は、折り畳まれたハンドル装置６を示し、図４は、折り畳みを解消したハンドル装置６を示している。
【００１４】
図示のように、折り畳み式のハンドル装置６は、支持部材３０と、支持部材３０に支持されるハンドル４０を備えている。支持部材３０は、開閉機構５に連結されて、ハンドル装置６の回転を開閉機構５に伝達する。支持部材３０は、ハンドル装置６のベース部材であり、ハンドル４０を移動可能に支持する（図２の矢印Ｍ１参照）。ここでは、ハンドル４０は、支持部材３０に回動可能に連結されて、回動により回動方向に移動する。ハンドル４０は、操作位置Ｐ１（図４参照）と折り畳み位置Ｐ２（図２、図３参照）とに移動する。
【００１５】
操作位置Ｐ１は、ハンドル装置６の操作時（使用時）におけるハンドル４０の配置位置である。折り畳み位置Ｐ２は、ハンドル装置６の折り畳み時（非使用時）におけるハンドル４０の配置位置（非操作位置）である。ハンドル装置６の操作時に、ハンドル４０は、折り畳み位置Ｐ２から操作位置Ｐ１に移動して、操作位置Ｐ１に配置される。その際、ハンドル４０が支持部材３０から起き上がり、ハンドル４０及びハンドル装置６の折り畳みが解消される。
【００１６】
ハンドル装置６の折り畳み時に、ハンドル４０は、操作位置Ｐ１から折り畳み位置Ｐ２に移動して、折り畳み位置Ｐ２に配置される。その際、ハンドル４０が支持部材３０に向かって倒れて、ハンドル４０が折り畳まれる。ハンドル４０は、支持部材３０に重なり、開閉機構５及び枠体３に沿って配置される。
【００１７】
図５は、本実施形態の開閉機構５とハンドル装置６を示す斜視図であり、開閉機構５の一部とハンドル装置６を分離させて示している。また、図５では、ハンドル装置６を分解して、ハンドル装置６の構成部品を示す。
図示のように、開閉機構５は、ハウジング５０と、連動アーム５１と、回転軸５２を有する。連動アーム５１は、回転軸５２の回転に連動する連動部材であり、例えば、リンクを介して、障子２に連結される。回転軸５２は、開閉機構５を駆動する駆動軸であり、軸線Ｌ回りの両方向に回転する。また、回転軸５２は、外周部に形成された複数の歯５３を有する。連動アーム５１は、ハウジング５０内の連動機構により、回転軸５２の回転に連動して回動する。回転軸５２の回転方向を変更することで、連動アーム５１の回動方向が変更される。
【００１８】
ハンドル装置６は、回転軸５２に取り付けられて、回転軸５２と一体に回転する。障子２の開閉時には、ハンドル装置６により回転軸５２を回転させて、連動アーム５１を回動させる。連動アーム５１及び図示しない連動機構により、障子２が移動して開閉する。ハンドル装置６及び回転軸５２が一方向に回転することで、連動アーム５１が一方向に回動して、障子２が開き方向に移動する。また、ハンドル装置６及び回転軸５２が他方向に回転することで、連動アーム５１が他方向に回動して、障子２が閉じ方向に移動する。開閉機構５は、ハンドル装置６の回転により駆動されて、障子２を開閉する。
【００１９】
ハンドル装置６は、支持部材３０とハンドル４０に加えて、ハンドル４０に係合する係合部材６０と、係合部材６０による係合を解除する解除部材７０と、係合部材６０を付勢する付勢部材８０と、連結部材８１を備えている。係合部材６０と解除部材７０は、それぞれの移動方向Ｍ２、Ｍ３に連動して移動する。支持部材３０は、開閉機構５の回転軸５２に取り付けられて、回転軸５２と一体に回転する。また、支持部材３０は、ハンドル４０から加えられる回転方向の力により、回転軸５２の軸線Ｌと同じ軸線Ｌ回りの両方向に回転する。
【００２０】
支持部材３０は、円筒状の基部３１と、基部３１に形成された２つの孔（取付孔３２、ネジ孔３３）と、基部３１から張り出す収容部３４と、収容部３４に形成された連結孔３５を有する。支持部材３０の基部３１は、ハンドル装置６の根元部である。取付孔３２は、支持部材３０の軸線Ｌに沿って形成されている。開閉機構５の回転軸５２が取付孔３２に挿入されて、基部３１が回転軸５２に取り付けられる。回転軸５２の複数の歯５３は、取付孔３２の内周部に形成された複数の溝に嵌る。
【００２１】
図６は、ハンドル装置６の支持部材３０を示す平面図であり、図５の矢印Ｘ３方向からみた支持部材３０を示している。図７は、ハンドル装置６の支持部材３０を示す断面図であり、図６のＸ４−Ｘ４線で切断した支持部材３０を示している。図８は、ハンドル装置６の支持部材３０を示す斜視図であり、図６のＸ５−Ｘ５線で切断した支持部材３０を示している。
支持部材３０のネジ孔３３は、雌ネジ部であり、基部３１の外周部から取付孔３２まで形成されている。ネジ孔３３に取り付けられたネジにより、支持部材３０が開閉機構５の回転軸５２に固定される。
【００２２】
収容部３４は、支持部材３０の基部３１から回転軸５２及び支持部材３０の軸線Ｌに交差する方向に張り出す。また、収容部３４の一部が基部３１の外側に突出する。収容部３４は、収容部３４内の空間（収容空間３４Ａ）を区画する区画壁３６と、区画壁３６から突出する一対の突出部３７と、区画壁３６の内側に形成された内側壁３８と、収容部３４の外側に向かって開口する２つの開口部３９Ａ、３９Ｂ（第１開口部３９Ａ、第２開口部３９Ｂ）を有する。連結孔３５は、区画壁３６に形成されて、区画壁３６を貫通する。
【００２３】
収容部３４は、区画壁３６により凹状に形成される。区画壁３６は、互いに対向する一対の対向壁３６Ａと、連結壁３６Ｂを有し、基部３１から突出する。一対の対向壁３６Ａが並列に形成されて、連結壁３６Ｂが一対の対向壁３６Ａの一端部同士を連結する。一対の突出部３７は、それぞれ一対の対向壁３６Ａの他端部から突出して、互いに対向する。内側壁３８は、連結壁３６Ｂに沿って形成された板状の突片であり、連結壁３６Ｂとの間に隙間を形成する。第１開口部３９Ａは、区画壁３６により、区画壁３６の突出方向の先端側に形成され、第２開口部３９Ｂは、一対の突出部３７の間に形成される。
【００２４】
支持部材３０は、収容部３４に形成されたガイド部３０Ａを有する。ガイド部３０Ａは、一対の対向壁３６Ａ、一対の突出部３７、及び、内側壁３８からなり、解除部材７０（図３参照）の移動時に、解除部材７０をガイドする。解除部材７０は、ガイド部３０Ａに接触して移動方向Ｍ３にガイドされる。また、解除部材７０は、一対の突出部３７と内側壁３８によって、係合部材６０が移動する方向（図５の移動方向Ｍ２）と同じ方向への移動が規制される。つまり、解除部材７０は、ガイド部３０Ａのガイドにより、移動方向Ｍ３のみに移動する。
【００２５】
支持部材３０の収容部３４は、係合部材６０及び解除部材７０（図５参照）を収容して、係合部材６０及び解除部材７０を各移動方向Ｍ２、Ｍ３に移動可能に保持する。収容部３４には、係合部材６０と解除部材７０の少なくとも一部が収容される。また、係合部材６０と解除部材７０は、組み合わされた状態で、収容部３４内に配置される。
【００２６】
図９は、組み合わされた係合部材６０と解除部材７０を示す斜視図である。
図５、図９に示すように、係合部材６０の移動方向Ｍ２と解除部材７０の移動方向Ｍ３は、直交する。係合部材６０と解除部材７０は、組み合わされた状態で、互いに異なる移動方向Ｍ２、Ｍ３に移動する。係合部材６０は、ハンドル４０を保持するブロック状の保持部材であり、解除部材７０の内側に配置される。また、係合部材６０は、ハンドル４０に係合する係合部６１と、一対の側面のそれぞれに形成された複数のスライド受け部６２、６３（第１スライド受け部６２、第２スライド受け部６３）と、係合部材６０を貫通する長孔６４と、付勢部材８０を保持する保持孔６５を有する。
【００２７】
係合部６１は、操作位置Ｐ１のハンドル４０に向かって突出する爪部であり、係合部材６０の移動方向Ｍ２の一端部に形成されている。第１スライド受け部６２は、係合部材６０の移動方向Ｍ２の中間部に形成され、第２スライド受け部６３は、係合部材６０の移動方向Ｍ２の他端部に形成されている。第１スライド受け部６２と第２スライド受け部６３は、係合部材６０の側面から突出し、係合部材６０の移動方向Ｍ２及び解除部材７０の移動方向Ｍ３に対して傾斜する。
【００２８】
係合部材６０の長孔６４は、係合部材６０の移動方向Ｍ２に沿った方向の寸法が解除部材７０の移動方向Ｍ３に沿った方向の寸法より長く形成される。長孔６４は、係合部６１と第１スライド受け部６２の間に形成されている。付勢部材８０は、弾性変形可能な弾性部材（例えば、バネ、ゴム）であり、係合部材６０の保持孔６５内に配置される。ここでは、付勢部材８０は、バネ（具体的には、圧縮コイルバネ）であり、係合部材６０から突出した状態で、保持孔６５に保持される。付勢部材８０により、係合部材６０は、操作位置Ｐ１のハンドル４０に向かって付勢される。
【００２９】
解除部材７０は、係合部材６０の移動を操作するケース状の操作部材であり、係合部材６０の一部を収容する。また、解除部材７０は、板状の操作部７１と、操作部７１の両縁部から突出する一対の側壁７２と、一対の側壁７２に形成された長孔７３と、操作部７１から突出する突出部７４と、一対の側壁７２のそれぞれに形成された複数のスライド部７５、７６（第１スライド部７５、第２スライド部７６）を有する。解除部材７０は、操作部７１により操作されて、移動方向Ｍ３に移動する。解除部材７０の操作時には、操作部７１を押すことで、解除部材７０が係合部材６０に向かって押されて移動する。
【００３０】
長孔７３は、解除部材７０の一端部側に形成され、突出部７４は、解除部材７０の他端部側に形成されている。ここで、解除部材７０の一端部と他端部とは、解除部材７０の移動方向Ｍ３に直交する方向（係合部材６０の移動方向Ｍ２）における解除部材７０の一端部と他端部である。解除部材７０の長孔７３は、解除部材７０の移動方向Ｍ３に沿った方向の寸法が係合部材６０の移動方向Ｍ２に沿った方向の寸法より長く形成される。長孔７３は、解除部材７０の一対の側壁７２を貫通している。突出部７４は、解除部材７０の移動方向Ｍ３に沿って形成されている。第１スライド部７５と第２スライド部７６は、長孔７３と突出部７４の間に形成され、係合部材６０の移動方向Ｍ２及び解除部材７０の移動方向Ｍ３に対して傾斜する。
【００３１】
係合部材６０は、解除部材７０の一対の側壁７２の間に配置される。その状態で、係合部６１を含む係合部材６０の一部は、解除部材７０から突出して、解除部材７０の外側に配置される。また、係合部材６０の長孔６４の一部と解除部材７０の長孔７３の一部は、位置を合わせて配置されて、重なり合う。第１スライド受け部６２は、第１スライド部７５に接触し、第２スライド受け部６３は、第２スライド部７６に接触する。
【００３２】
付勢部材８０が係合部材６０の保持孔６５に保持された状態で（図４参照）、係合部材６０と付勢部材８０が支持部材３０の収容部３４に収容される。付勢部材８０は、係合部材６０から突出して、収容部３４の内側壁３８に接触する。係合部材６０は、収容部３４の第２開口部３９Ｂに配置されるとともに、第２開口部３９Ｂから収容部３４の外側に突出する。解除部材７０は、収容部３４に収容されて、係合部材６０と付勢部材８０を覆う。
【００３３】
解除部材７０は、収容部３４の第１開口部３９Ａに配置されて、第１開口部３９Ａを塞ぐ。解除部材７０の一対の側壁７２と突出部７４は、収容部３４の区画壁３６に沿って配置される。突出部７４は、連結壁３６Ｂと内側壁３８の間に配置されて、内側壁３８に接触する。解除部材７０の移動時には、突出部７４が内側壁３８に沿ってスライドして、解除部材７０が内側壁３８により移動方向Ｍ３にガイドされる。
【００３４】
図１０は、本実施形態のハンドル装置６を示す断面図であり、係合部材６０とハンドル４０の係合が解除された状態のハンドル装置６を図４と同様に示している。
図４、図１０に示すように、係合部材６０、解除部材７０、及び、付勢部材８０は、ハンドル４０を保持する保持機構８２を構成する。保持機構８２は、収容部３４に収容される。係合部材６０は、ハンドル４０に係合する係合位置Ｒ１（図４参照）と、ハンドル４０との係合を解除する解除位置Ｒ２（非係合位置）（図１０参照）とに移動する。付勢部材８０は、係合部材６０を係合位置Ｒ１に向かって付勢する。ハンドル装置６の操作時に、係合部材６０は、係合位置Ｒ１に配置され、操作位置Ｐ１に配置されたハンドル４０に係合して、ハンドル４０を操作位置Ｐ１に保持する。
【００３５】
解除部材７０は、解除ボタンであり、第１位置Ｓ１（図４参照）と第２位置Ｓ２（図１０参照）とに移動する。解除部材７０の操作によって、係合部材６０は、係合位置Ｒ１と解除位置Ｒ２とに移動する。係合部材６０は、解除部材７０が第１位置Ｓ１に位置するときに、係合位置Ｒ１に配置され、解除部材７０が第２位置Ｓ２に位置するときに、解除位置Ｒ２に配置される。ハンドル装置６の折り畳み時に、解除部材７０は、係合部材６０を係合位置Ｒ１から解除位置Ｒ２に移動させて、係合部材６０のハンドル４０への係合を解除させる。これにより、係合部材６０によるハンドル４０の保持が解除される。続いて、ハンドル４０を操作位置Ｐ１から折り畳み位置Ｐ２（図３参照）に移動させて、ハンドル装置６を折り畳む。
【００３６】
解除部材７０の一部（操作部７１）は、解除部材７０が第１位置Ｓ１に位置するときに、収容部３４の外側に配置され、解除部材７０が第２位置Ｓ２に位置するときに、収容部３４の第１開口部３９Ａに配置される。解除部材７０が第１位置Ｓ１に位置する状態で、係合部材６０は、付勢部材８０の付勢により、係合位置Ｒ１に配置される。係合部材６０は、付勢部材８０により係合位置Ｒ１に向かって常に付勢される。ハンドル装置６の折り畳み時には、第１位置Ｓ１の解除部材７０の操作部７１を収容部３４の内側に向かって押す。これにより、解除部材７０は、第２位置Ｓ２に向かって押されて、第１位置Ｓ１から第２位置Ｓ２に移動する。
【００３７】
解除部材７０が第１位置Ｓ１から第２位置Ｓ２に向かって移動するときに（図９参照）、解除部材７０のスライド部７５、７６は、それぞれ係合部材６０のスライド受け部６２、６３に沿ってスライドしつつ、スライド受け部６２、６３を付勢部材８０の付勢力に抗して係合部材６０の移動方向Ｍ２に押す。解除部材７０は、スライド部７５、７６により、係合部材６０を解除位置Ｒ２側に押してハンドル４０から離間する方向に移動させ、係合部材６０を係合位置Ｒ１から解除位置Ｒ２に向かって移動させる。これにより、係合部材６０は、付勢部材８０を圧縮しつつ、解除位置Ｒ２に移動する。また、係合部材６０の解除部材７０からの突出長さが短くなる。
【００３８】
解除部材７０（操作部７１）を押すことで、解除部材７０は、第１位置Ｓ１から第２位置Ｓ２に移動して、係合部材６０を係合位置Ｒ１から解除位置Ｒ２に移動させる。解除部材７０を第２位置Ｓ２に保持することで、係合部材６０は、解除部材７０により、解除位置Ｒ２に保持される。解除部材７０を押すのを止めて解除部材７０を解放すると、付勢部材８０の復元に伴う付勢により、係合部材６０は、解除位置Ｒ２から係合位置Ｒ１に向かって移動する。これにより、係合部材６０が係合位置Ｒ１に移動して、係合部材６０の解除部材７０からの突出長さが長くなる。
【００３９】
係合部材６０が解除位置Ｒ２から係合位置Ｒ１に向かって移動するときに、係合部材６０のスライド受け部６２、６３は、それぞれ解除部材７０のスライド部７５、７６に沿ってスライドしつつ、スライド部７５、７６を解除部材７０の移動方向Ｍ３に押す。係合部材６０は、スライド受け部６２、６３により、解除部材７０を第１位置Ｓ１側に押して、解除部材７０を第２位置Ｓ２から第１位置Ｓ１に向かって移動させる。これにより、解除部材７０は、第１位置Ｓ１に移動して、押される前の状態に復帰する。付勢部材８０の付勢により、係合部材６０が係合位置Ｒ１に保持され、付勢部材８０及び係合部材６０により、解除部材７０が第１位置Ｓ１に保持される。
【００４０】
このように、ハンドル装置６は、係合部材６０と解除部材７０を連動させる連動機構８３を備える。連動機構８３は、スライド受け部６２、６３、スライド部７５、７６、及び、付勢部材８０を含み、係合部材６０と解除部材７０を各移動方向Ｍ２、Ｍ３に連動して移動させる。連動機構８３により、解除部材７０の第１位置Ｓ１から第２位置Ｓ２への移動に連動して、係合部材６０が係合位置Ｒ１から解除位置Ｒ２に移動する。また、連動機構８３により、係合部材６０の解除位置Ｒ２から係合位置Ｒ１への移動に連動して、解除部材７０が第２位置Ｓ２から第１位置Ｓ１に移動する。
【００４１】
ハンドル４０（図５参照）は、アーム状のノブであるハンドルアーム４１と、円筒状のカラー４２と、回転可能なツマミ４３と、支持部材３０の収容部３４を収容して覆う凹状の覆い部４４と、覆い部４４に形成された連結孔４５を有する。ハンドルアーム４１は、ハンドル４０の本体部であり、円柱状の支持軸４１Ａを有する。カラー４２は、支持軸４１Ａの外周部に回転可能に取り付けられる。ツマミ４３は、カラー４２の外周部に取り付けられて、支持軸４１Ａにより回転可能に支持される。ハンドル装置６の操作時には、ツマミ４３を持って、ハンドル４０を回転させる。
【００４２】
覆い部４４は、ハンドル４０（ハンドルアーム４１）の支持部材３０側の部分に形成されている。ハンドル４０は、折り畳み位置Ｐ２（図３参照）において、収容部３４、係合部材６０、及び、解除部材７０（それぞれの少なくとも一部）を覆い部４４に収容して、覆い部４４により、収容部３４、係合部材６０、及び、解除部材７０を覆う。覆い部４４は、収容部３４の周囲に配置され、収容部３４は、覆い部４４内で折り畳み位置Ｐ２のハンドル４０に沿って配置される。
【００４３】
ハンドル４０が折り畳み位置Ｐ２に配置された状態で、収容部３４、係合部材６０、及び、解除部材７０が覆い部４４内に配置されて、収容部３４の第１開口部３９Ａが覆い部４４により覆われる。覆い部４４は、第１開口部３９Ａに配置された解除部材７０を第１開口部３９Ａとともに収容して覆う。ハンドル装置６を室内側からみたときに、収容部３４、係合部材６０、及び、解除部材７０が覆い部４４により遮蔽されて、収容部３４、係合部材６０、及び、解除部材７０の露出が抑制される。ハンドル４０が操作位置Ｐ１（図４参照）に配置された状態では、覆い部４４が収容部３４、係合部材６０、及び、解除部材７０から外れて、収容部３４、係合部材６０、及び、解除部材７０が露出する。
【００４４】
覆い部４４（図３、図４、図５参照）は、収容部３４と解除部材７０に被さるように配置される遮蔽面部４６と、一対の遮蔽壁４７と、支持部材３０に接触する接触部４８を有する。遮蔽面部４６は、ハンドル４０の見え掛り部の一部（主遮蔽部）であり、解除部材７０と対向する。一対の遮蔽壁４７は、遮蔽面部４６の両側部に連続して形成されて、遮蔽面部４６から支持部材３０に向かって突出する。収容部３４、係合部材６０、及び、解除部材７０は、一対の遮蔽壁４７の間に配置される。接触部４８は、遮蔽面部４６の端部に連続して形成されて、一対の遮蔽壁４７の間に設けられる。連結孔４５は、一対の遮蔽壁４７に形成されて、一対の遮蔽壁４７を貫通する。
【００４５】
係合部材６０と解除部材７０が収容部３４に収容された状態で、支持部材３０の連結孔３５が覆い部４４内に配置される。また、ハンドル４０の連結孔４５、支持部材３０の連結孔３５、解除部材７０の長孔７３、及び、係合部材６０の長孔６４は、位置を合わせて配置されて、順に重なり合う。その状態で、連結部材８１は、各孔４５、３５、７３、６４に挿入されて取り付けられる。連結部材８１により、ハンドル４０は、支持部材３０に連結されて、移動可能（回動可能）に支持される。
【００４６】
ハンドル４０は、連結部材８１を中心に回動して、操作位置Ｐ１と折り畳み位置Ｐ２とに移動する。ここでは、連結部材８１は、連結ピンであり、ハンドル４０の覆い部４４を支持部材３０の収容部３４に連結する。これにより、ハンドル４０が支持部材３０に取り付けられる。また、ハンドル４０、支持部材３０、解除部材７０、及び、係合部材６０を１つの連結部材８１が貫通する。１つの連結部材８１により、ハンドル４０、解除部材７０、及び、係合部材６０が支持部材３０に連結される。
【００４７】
連結部材８１は、係合部材６０及び解除部材７０を貫通して、係合部材６０及び解除部材７０を支持部材３０に移動可能に連結する。連結部材８１は、係合部材６０の長孔６４内に配置されて、長孔６４の延びる方向（係合部材６０の移動方向Ｍ２）に相対的に移動する。また、連結部材８１は、解除部材７０の長孔７３内に配置されて、長孔７３の延びる方向（解除部材７０の移動方向Ｍ３）に相対的に移動する。
【００４８】
連結部材８１は、係合部材６０及び解除部材７０を各移動方向Ｍ２、Ｍ３にガイドするガイド部材である。連結部材８１により、係合部材６０は、係合位置Ｒ１と解除位置Ｒ２とにガイドされて、各位置Ｒ１、Ｒ２に移動する。また、連結部材８１により、解除部材７０は、第１位置Ｓ１と第２位置Ｓ２とにガイドされて、各位置Ｓ１、Ｓ２に移動する。
【００４９】
ハンドル４０（図４参照）は、覆い部４４内に設けられた突起４４Ａと被係合部４９を有する。突起４４Ａは、覆い部４４の遮蔽面部４６に設けられて、遮蔽面部４６から覆い部４４の内側に突出する。被係合部４９は、突起４４Ａの突端面と遮蔽面部４６との間に形成された段部である。係合位置Ｒ１の係合部材６０は、係合部６１を被係合部４９に接触させて、係合部６１により被係合部４９に係合する。
【００５０】
係合部材６０は、係合部６１により被係合部４９を押えて、ハンドル４０を操作位置Ｐ１に保持する。被係合部４９が係合部材６０の係合部６１に引っ掛かり、ハンドル４０の折り畳み位置Ｐ２への移動が防止される。係合部材６０が係合位置Ｒ１から解除位置Ｒ２に移動したときに（図１０参照）、係合部６１が被係合部４９から外れて、係合部６１の被係合部４９への係合が解除される。これにより、係合部材６０のハンドル４０への係合が解除される。
【００５１】
図１１は、本実施形態のハンドル装置６を示す断面図であり、ハンドル４０が操作位置Ｐ１と折り畳み位置Ｐ２の間に配置された状態のハンドル装置６を図４と同様に示している。
ハンドル装置６の折り畳み時には、解除部材７０を押して、第１位置Ｓ１から第２位置Ｓ２に解除部材７０を移動させる（図４、図１０参照）。解除部材７０により、係合部材６０を係合位置Ｒ１から解除位置Ｒ２に移動させて、係合部材６０のハンドル４０への係合を解除させる。その状態で、ハンドル４０を操作位置Ｐ１から折り畳み位置Ｐ２に移動させて（図１１、図３参照）、ハンドル装置６を折り畳む。収容部３４、係合部材６０、及び、解除部材７０は、ハンドル４０の覆い部４４に収容されて、覆い部４４により覆われる。
【００５２】
ハンドル４０を操作位置Ｐ１から移動させた後、解除部材７０を押えた状態から解放する（図１１参照）。係合部材６０は、ハンドル４０の突起４４Ａに接触し、突起４４Ａにより押えられて、解除位置Ｒ２に保持される。ハンドル４０を折り畳み位置Ｐ２に向かって移動させる間に、係合部材６０が突起４４Ａから外れて、付勢部材８０の付勢により、係合部材６０が解除位置Ｒ２から係合位置Ｒ１に移動する。同時に、解除部材７０が第２位置Ｓ２から第１位置Ｓ１に移動する（図３参照）。
【００５３】
ハンドル装置６の操作時には、ハンドル４０を折り畳み位置Ｐ２から操作位置Ｐ１に向かって移動させる（図３、図１１参照）。その際、ハンドル４０の覆い部４４による収容部３４と解除部材７０の覆いが次第に外れて、収容部３４と解除部材７０が露出する。また、係合部材６０は、ハンドル４０の突起４４Ａに接触し、突起４４Ａにより押されて、係合位置Ｒ１から解除位置Ｒ２に向かって移動する。同時に、解除部材７０が第１位置Ｓ１から第２位置Ｓ２に向かって移動する。
【００５４】
ハンドル４０が操作位置Ｐ１に移動したときに（図１０、図４参照）、覆い部４４の接触部４８は、支持部材３０に接触して、ハンドル４０を停止させる。また、係合部材６０が突起４４Ａから外れて、付勢部材８０の付勢により、係合部材６０が係合位置Ｒ１に移動する。これにより、係合部材６０は、係合位置Ｒ１に配置されて、ハンドル４０（被係合部４９）に自動で係合する。同時に、解除部材７０は、第１位置Ｓ１に移動して、第１位置Ｓ１に配置される。
【００５５】
係合部材６０により、ハンドル４０が操作位置Ｐ１に保持されて、ハンドル４０が折り畳み位置Ｐ２に移動するのが防止される。その状態で（図５参照）、ハンドル４０を回転させて、ハンドル４０により、支持部材３０及び開閉機構５の回転軸５２を回転させる。ハンドル４０によりハンドル装置６を操作して、開閉機構５を駆動する。ハンドル装置６により、開閉機構５、及び、障子２の開閉が操作されて、障子２が開閉する。
【００５６】
以上説明したハンドル装置６では、ハンドル装置６及びハンドル４０を安定して操作することができる。また、ハンドル装置６を折り畳んだときに、ハンドル４０の覆い部４４により、ハンドル４０の保持とハンドル４０の保持の解除に用いられる部分を目立たなくすることができる。そのため、ハンドル装置６と建具１の外観を向上させることができる。
【００５７】
ハンドル４０の覆い部４４により、解除部材７０と収容部３４の第１開口部３９Ａの露出を防止して、解除部材７０の周辺部分をより目立なくすることができる。また、支持部材３０の基部３１から張り出す収容部３４に、係合部材６０と解除部材７０を容易に収容することができる。収容部３４は、覆い部４４内でハンドル４０に沿って配置される。そのため、ハンドル装置６をコンパクトにでき、覆い部４４により収容部３４を確実に覆うこともできる。
【００５８】
付勢部材８０により、係合部材６０を係合位置Ｒ１に保持できるとともに、係合部材６０をハンドル４０に確実に係合させることができる。係合部材６０と解除部材７０を１つの連結部材８１により支持部材３０に連結するため、ハンドル装置６の構造を簡単にすることができる。支持部材３０のガイド部３０Ａにより、解除部材７０を第１位置Ｐ１と第２位置Ｐ２とに円滑に移動させることができる。
【００５９】
なお、収容部３４、係合部材６０、及び、解除部材７０の全体を覆い部４４内に収容して覆い部４４により覆うようにしてもよく、収容部３４、係合部材６０、及び、解除部材７０のそれぞれの一部を覆い部４４内に収容して覆い部４４により覆うようにしてもよい。また、ハンドル４０を連結部材８１以外の連結手段（例えば、ハンドル４０に形成した一対の連結突起）で支持部材３０に連結してもよい。押す以外の動作（例えば、引く、スライド）で解除部材７０を移動させて、解除部材７０により、係合部材６０のハンドル４０への係合を解除させてもよい。解除部材７０により、係合部材６０を解除位置Ｒ２から係合位置Ｒ１に手動で移動させて、係合部材６０を手動でハンドル４０に係合させてもよい。
【００６０】
以上、建具１が縦すべり出し窓である例について説明したが、建具１は、他の窓（例えば、横すべり出し窓、上げ下げ窓）、又は、窓以外の建具（例えば、ルーバー）であってもよい。ハンドル装置６は、種々の建具に設けることができる。また、本発明は、建具のハンドル装置に限定されず、折り畳み式の種々のハンドル装置に適用することができる。
【符号の説明】
【００６１】
１・・・建具、２・・・障子、３・・・枠体、４・・・施錠機構、５・・・開閉機構、６・・・ハンドル装置、１０・・・開口部、２０・・・框体、２１・・・パネル体、３０・・・支持部材、３１・・・基部、３２・・・取付孔、３３・・・ネジ孔、３４・・・収容部、３５・・・連結孔、３６・・・区画壁、３７・・・突出部、３８・・・内側壁、４０・・・ハンドル、４１・・・ハンドルアーム、４２・・・カラー、４３・・・ツマミ、４４・・・覆い部、４５・・・連結孔、４６・・・遮蔽面部、４７・・・遮蔽壁、４８・・・接触部、４９・・・被係合部、５０・・・ハウジング、５１・・・連動アーム、５２・・・回転軸、５３・・・歯、６０・・・係合部材、６１・・・係合部、６２・・・第１スライド受け部、６３・・・第２スライド受け部、６４・・・長孔、６５・・・保持孔、７０・・・解除部材、７１・・・操作部、７２・・・側壁、７３・・・長孔、７４・・・突出部、７５・・・第１スライド部、７６・・・第２スライド部、８０・・・付勢部材、８１・・・連結部材、８２・・・保持機構、８３・・・連動機構。
【図１】
2018147395.tif 000003
【図２】
2018147395.tif 000004
【図３】
2018147395.tif 000005
【図４】
2018147395.tif 000006
【図５】
2018147395.tif 000007
【図６】
2018147395.tif 000008
【図７】
2018147395.tif 000009
【図８】
2018147395.tif 000010
【図９】
2018147395.tif 000011
【図１０】
2018147395.tif 000012
【図１１】
2018147395.tif 000013